(57)【要約】【課題】  画像データの処理を簡単に実行することができる画像処理システムを提供する。【解決手段】  画像データファイルを受け取ると、ステップＳ１１で転送するファイルがあるかを確認し、ファイルがなければ取り込みを終了する。ファイルがあればステップＳ１２へ進み、カメラからファイルを転送し、ステップＳ１３で付加データがあるかどうかを確認し、付加データがなければステップＳ１４で予め決められたデフォルト処理を実行し、付加データがある場合はステップＳ１５で付加データによる処理を行う。ステップＳ１４若しくはステップＳ１５の後はステップＳ１６へ移って処理が成功したかどうかを確認し、成功していればステップＳ１１へ戻り、成功していなければデータの取り込みを終了する。【選択図】  図４
2006031671.tif 000002
【特許請求の範囲】
【請求項１】
画像ファイルの画像に付加情報を付加して記録することができる記録手段を有する画像記録装置と、
前記付加情報を読み込んで画像を処理する画像処理手段を有する画像処理装置と、
前記画像記録装置と前記画像処理装置との間で前記画像ファイルの受け渡しを行う画像ファイル授受手段とを備え、
前記画像ファイル授受手段により受け渡された前記画像ファイルに含まれる画像に対して、付加された前記付加情報により画像処理を行うことを特徴とする画像処理システム。
【請求項２】
前記付加情報は記録時のレンズ特性情報であり、歪曲収差補正処理を行うことを特徴とする請求項１記載の画像処理システム。
【請求項３】
前記付加情報は記録時のレンズ特性情報であり、周辺光量補正処理を行うことを特徴とする請求項１記載の画像処理システム。
【請求項４】
前記付加情報は記録時のレンズ種別と合焦位置とズームポジションであり、歪曲収差補正処理を行うことを特徴とする請求項１記載の画像処理システム。
【請求項５】
前記付加情報は記録時のレンズ種別と合焦位置とズームポジションであり、周辺光量補正処理を行うことを特徴とする請求項１記載の画像処理システム。
【請求項６】
前記付加情報は画像に対する補正処理種別と補正値であり、前記付加情報に従って補正処理を行うことを特徴とする請求項１記載の画像処理システム。
【発明の詳細な説明】
【技術分野】
【０００１】
本発明は、パーソナルコンピュータやダイレクトプリント対応のプリンタなどの画像処理装置を有する画像処理システムに関し、特に画像データの処理を簡単に実行することができる画像処理システムに関する。
【背景技術】
【０００２】
撮影対象をデジタルデータとして記録することができるデジタルスチルカメラが知られている。このような装置では、撮影した画像データは本体内のメモリに蓄えられ、必要に応じて取り出すようにしている場合が多い。すなわち、画像データを通信によって外部機器と送受信できるようになっている（例えば、特許文献１参照）。画像データは必要に応じて歪曲収差補正や周辺光量補正などの処理が施される場合もある。歪曲収差補正処理には、一般に合焦位置とズームポジション毎に、レンズの歪曲率を求めておくテーブルルックアップ方式などが知られている（例えば、特許文献２参照）。また、周辺光量補正処理には、一般に減光率として知られているコサイン４乗則を用いた補正処理などが知られている（例えば、特許文献３参照）。
【特許文献１】特開２００１−２３０９９９公報
【特許文献２】特開平９−２９４２２５号公報
【特許文献３】特許第３４６１０６１号
【発明の開示】
【発明が解決しようとする課題】
【０００３】
しかしながら、従来の方法では、デジタルスチルカメラで撮影した画像に対して処理を行うためには、人手により画像ファイルと処理ソフトを選択して処理を行うため手間がかかっていた。
そこで、本発明は、上述した実情を考慮してなされたもので、画像データの処理を簡単に実行することができる画像処理システムを提供することを目的とする。
【課題を解決するための手段】
【０００４】
上記の課題を解決するために、請求項１に記載の発明は、画像ファイルの画像に付加情報を付加して記録することができる記録手段を有する画像記録装置と、前記付加情報を読み込んで画像を処理する画像処理手段を有する画像処理装置と、前記画像記録装置と前記画像処理装置との間で前記画像ファイルの受け渡しを行う画像ファイル授受手段とを備え、前記画像ファイル授受手段により受け渡された前記画像ファイルに含まれる画像に対して、付加された前記付加情報により画像処理を行うことを特徴とする。
また請求項２に記載の発明は、前記付加情報は記録時のレンズ特性情報であり、歪曲収差補正処理を行うことを特徴とする。
また請求項３に記載の発明は、前記付加情報は記録時のレンズ特性情報であり、周辺光量補正処理を行うことを特徴とする。
また請求項４に記載の発明は、前記付加情報は記録時のレンズ種別と合焦位置とズームポジションであり、歪曲収差補正処理を行うことを特徴とする。
また請求項５に記載の発明は、前記付加情報は記録時のレンズ種別と合焦位置とズームポジションであり、周辺光量補正処理を行うことを特徴とする。
また請求項６に記載の発明は、前記付加情報は画像に対する補正処理種別と補正値であり、前記付加情報に従って補正処理を行うことを特徴とする。
【発明の効果】
【０００５】
本発明によれば、画像処理装置において、画像記録手段からの画像を取り込む際に、画像ファイルの画像に付加される付加情報により画像処理を行うことで、画像を取り込む際に自動的に選択してファイルを処理することが可能になり、画像データの処理を簡単に実行することができる。
【発明を実施するための最良の形態】
【０００６】
以下、図面を参照して、本発明を実施するための最良の形態である画像処理システムについて詳細に説明する。ここで説明する画像処理システムでは、指定された処理を実行するための情報やメモなどの付加データを画像に埋め込む（付加する）ことができる機能を備えたデジタルスチルカメラ等の画像記録装置と、画像処理装置としてのこの例ではパーソナルコンピュータとの間で画像データ及び付加データのやり取りが可能である。撮影前にデジタルスチルカメラ（画像記録装置）のＬＣＤ（Liquid Crystal Display）で撮影者の希望する入力内容を選択してから撮影することにより画像データファイル内に付加データとして埋め込み（付加して）記録される。あるいは、再生時に入力内容を選択して埋め込んでもよい。メモなどの入力では、手間を省くために付加データエリアに音声や画像データを埋め込んでもよい。
図１は本発明を実施するための最良の形態である画像処理システムにおける画像処理装置の要部ブロック構成図である。図１に示すように、画像処理装置はプログラムにより処理を行うＣＰＵ１、プログラムを格納するＲＯＭ２、ＲＡＭ３、データを格納するメモリカード４、メモリカードＩ／Ｆ５、ＨＤＤ６、キーボードやマウスによる入力制御手段７、ＣＲＴやＬＣＤに表示する画像を制御する画像表示制御手段８、外部機器と通信を行うＵＳＢ  Ｉ／Ｆ９、通信Ｉ／Ｆ１０を備えている。なお、データ取り込みには、メモリカード４による受け渡しや、ＵＳＢやＬＡＮ等の通信による受け渡しのいずれか１つを具備すればよい。
これらはパーソナルコンピュータ（ＰＣ）と画像取り込みソフトウェア（ＳＷ）で構成することができる。ＰＣはオペレーティングシステム（ＯＳ）を搭載しており、ＳＷはＯＳの機能により実行される。ＰＣはＨＤＤ等の記憶装置を搭載しており、記憶装置はＯＳの機能であるファイルシステム（ＦＳ）により記憶エリアとして管理されている。アプリケーションソフトウェアはＯＳの提供する機能により記憶エリアにアクセスすることができ、ドライブ名、フォルダ名、ファイル名からなるファイルパス名で記憶エリアを指定する。このような構成により、ＰＣにはデジタルスチルカメラとの間で画像ファイルを受け渡す画像ファイル授受手段が実現される。
【０００７】
図２はファイルの基本構造を示したものである。付加データとしてはレンズ特性に関わる情報を格納し、この情報に基づいて後述する動作フローによって歪曲収差補正処理や周辺光量補正処理を行わせる。ファイル構造はＥＸＩＦ等の標準化されたフォーマットのオプション領域に付加データを格納してもよい。レンズ特性に関わる付加情報に基づく動作によって、画像を取り込む際にレンズ特性情報により歪曲収差補正処理や周辺光量補正処理を行うことが可能となる。したがって、画像を取り込む際に自動的に選択してファイルを処理するので、画像データの処理を簡単に実行することができる。なお、歪曲収差補正処理には、一般に合焦位置とズームポジション毎に、レンズの歪曲率を求めておくテーブルルックアップ方式などが知られている（特許文献２参照）。
歪曲率Ｄ（％）は、以下の式で表されることが知られている。
Ｄ＝（ＹーＨ）／Ｈ×１００
Ｙは実際の（撮影された）像高
Ｈは理想像高
上記式が予め分かっていれば、実際の（撮影された）像高Ｙに対して補正すべき理想像高Ｈを求めることが可能となり、像高を補正することで歪曲率を補正することが可能となる。
上記式を、合焦位置とズームポジション毎にテーブルデータとしておけば、歪曲収差補正を行うことが可能となる。
周辺光量補正処理には、一般に減光率として知られているコサイン４乗則を用いた補正処理などが知られている（特許文献３参照）。
コサイン４乗則とは、光軸上にあった被写体が、光軸と直角の方向にずれたとき、被写体の明るさは同じでも、像面での明るさは、光軸と被写体からの主光線による角度の、コサインの4乗に比例して低下する現象を言う。
図８はコサイン４乗則による周辺光量の低下を示した図である。
そして、画像の周辺部の輝度を、コサイン４乗則に基づき、中心部と同様となるように補正することで、画像の周辺光量を補正することが可能となる。
図３は付加データの第１例を示す概略図である。この図３には記録時のレンズ種別と合焦位置とズームポジションを付加情報とした場合が示されている。歪曲収差補正処理を行うデータ１としてレンズ種別、データ２として撮影時の合焦位置、データ３としてズームポジションが設定されている。画像処理装置でレンズ毎に焦点距離とズームポジションからなる歪曲収差と周辺光量の補正値のテーブルを持っており、画像補正処理プログラムは画像ファイルの付加データを読み出して、レンズ種別により補正値テーブルを決定し、ズームポジションと合焦位置により補正値を決定することができる。
【０００８】
図４は本発明を実施するための最良の形態である画像処理システムにおいて付加データによる処理を行う場合の動作を示す処理フローである。この動作フローでは、メモリカードやＵＳＢ  Ｉ／Ｆにより処理制御データを付加された画像データファイルを受け取ると、ステップＳ１１で転送するファイルがあるかを確認し、ファイルがなければ取り込みを終了する。ファイルがあればステップＳ１２へ進み、カメラからファイルを転送し、ステップＳ１３で付加データがあるかどうかを確認し、付加データがなければステップＳ１４で予め決められたデフォルト処理を実行し、付加データがある場合はステップＳ１５で付加データによる処理を行う。ステップＳ１４若しくはステップＳ１５の後はステップＳ１６へ移って処理が成功したかどうかを確認し、成功していればステップＳ１１へ戻り、成功していなければデータの取り込みを終了する。これによって付加データにレンズ種別、合焦位置、ズームポジションといったレンズ特性情報があれば歪曲収差補正や周辺光量補正の画像処理を行うことができる。したがって、画像を取り込む際に自動的に選択してファイルを処理するので、画像データの処理を簡単に実行することができる。
図５は付加データの第２例を示す概略図である。画像に対する補正処理種別と補正値を付加情報とした場合である。データ１として歪曲収差補正の処理種別、データ２として歪曲収差に関わる補正値、データ３として周辺光量補正の処理種別、データ４として周辺光量に関わる補正値が設定されている。補正値は画像記録装置に記憶されており、記録者により記録時に画像ファイルに埋め込むことができる。これにより記録者は処理の有無を指示することができる。図５に基づいて処理されることにより画像を取り込む際に補正種別情報、補正値情報により補正処理を行うことができる。したがって、画像を取り込む際に自動的に選択してファイルを処理するので、画像データの処理を簡単に実行することができる。
【０００９】
次に、画像処理装置としてプリンタを用いた場合の発明を実施するための最良の形態について説明する。このプリンタには、メモリカードＩ／Ｆが設けられ、デジタルスチルカメラで記録したメモリカードを挿入することでＰＣを使用せずに印刷ができるようになっている。なお、プリンタにＵＳＢ  Ｉ／Ｆを設け、デジタルカメラとＵＳＢケーブルで接続することでＰＣを使用せずに印刷できるようにしたものを用いてもよい。
図６にプリンタのブロック図を示す。このプリンタはプログラムにより処理を行うＣＰＵ１１、プログラムおよびフォントを格納するＲＯＭ１２、印刷データや印字パターンに変換したビデオデータを一時的に格納するＲＡＭ１３、ＰＣ等のホストマシンと接続するためのホストＩ／Ｆ１４、制御動作の切り替え、インターフェイス動作を行うためのオペレーションパネル１５の制御を行うパネル制御１６、印刷動作を行うプリンタエンジン１７と連携するエンジンＩ／Ｆ１８、デジタルカメラを直接接続するためのＵＳＢ  Ｉ／Ｆ１９、メモリカード２０から画像を読み出すためのメモリカードＩ／Ｆ２１からなる。
図７はプリンタの動作を示す処理フローである。メモリカードの装着またはデジタルカメラの接続がされると、画像ファイルの印刷プログラムが起動される。ステップＳ２１で印刷するファイルがあるかを確認し、ファイルがなければステップＳ２２で印刷を終了し、ファイルがあればステップＳ２３へ進み、カメラ／メモリカードからファイルを転送し、ステップＳ２４で付加データがあるかどうかを確認し、付加データがなければステップＳ２５で予め決められたデフォルト処理を実行し、付加データがある場合はステップＳ２６で付加データによる処理を行う。ステップＳ２５若しくはステップＳ２６の後はステップＳ２７へ移って印刷処理を行う。これによって付加データにレンズ種別、合焦位置、ズームポジションといったレンズ特性情報があれば歪曲収差補正や周辺光量補正の画像処理を行った後に印刷を行うことができる。したがって、画像を取り込む際に自動的に選択してファイルを処理するので、画像データの処理を簡単に実行することができる。
【図面の簡単な説明】
【００１０】
【図１】本発明を実施するための最良の形態である画像処理システムにおける画像処理装置の要部ブロック構成図。
【図２】ファイルの基本構造を示す概略図。
【図３】付加データの第１例を示す概略図。
【図４】本発明を実施するための最良の形態である画像処理システムの処理動作を示すフローチャート。
【図５】付加データの第２例を示す概略図。
【図６】本発明を実施するための最良の形態である画像処理システムにおけるプリンタのブロック構成図。
【図７】プリンタの処理動作を示すフローチャート。
【図８】コサイン４乗則による周辺光量の低下を示した図。
【符号の説明】
【００１１】
１、１１  ＣＰＵ、２、１２  ＲＯＭ、３、１３  ＲＡＭ、４、２０  メモリカード、５、２１  メモリカードＩ／Ｆ、９、１９  ＵＳＢ  Ｉ／Ｆ、１４  ホストＩ／Ｆ、１５  オペレーションパネル、１６  パネル制御、  １７  プリンタエンジン、１８  エンジンＩ／Ｆ
【図１】
2006031671.tif 000003
【図２】
2006031671.tif 000004
【図３】
2006031671.tif 000005
【図４】
2006031671.tif 000006
【図５】
2006031671.tif 000007
【図６】
2006031671.tif 000008
【図７】
2006031671.tif 000009
【図８】
2006031671.tif 000010